(57)【要約】【課題】ＰＯＩの密集エリアにおいて、ＰＯＩアイコンの選択を容易にすることができる地図表示システム及び地図表示プログラムを提供することを課題とする。【解決手段】地図を表示させる地図表示システムであって、前記地図に表示される表示部品を、該表示部品の表示領域上を選択することにより選択する選択手段と、前記選択手段により選択された前記表示領域上の座標において、前記表示部品が１以上の他の表示部品と重畳しているか否かを判定する判定手段と、前記判定手段により前記座標において前記表示部品と前記１以上の他の表示部品が重畳していると判定された場合、前記表示部品と前記１以上の他の表示部品とのいずれかを選択させる画面を表示させる表示手段と、を有することにより、上記課題を解決する。【選択図】  図７
2015187642.tif 000002
【特許請求の範囲】
【請求項１】
地図を表示させる地図表示システムであって、
前記地図に表示される表示部品を、該表示部品の表示領域上を選択することにより選択する選択手段と、
前記選択手段により選択された前記表示領域上の座標において、前記表示部品が１以上の他の表示部品と重畳しているか否かを判定する判定手段と、
前記判定手段により前記座標において前記表示部品と前記１以上の他の表示部品が重畳していると判定された場合、前記表示部品と前記１以上の他の表示部品とのいずれかを選択させる画面を表示させる表示手段と、
を有する地図表示システム。
【請求項２】
前記表示手段は、前記表示部品と前記１以上の他の表示部品とのいずれかを選択させるためのリストを表示させる、請求項１記載の地図表示システム。
【請求項３】
前記表示部品は、ＰＯＩアイコンである、請求項１又は２記載の地図表示システム。
【請求項４】
地図を表示させるコンピュータを、
前記地図に表示される表示部品を、該表示部品の表示領域上を選択することにより選択する選択手段、
前記選択手段により選択された前記表示領域上の座標において、前記表示部品が１以上の他の表示部品と重畳しているか否かを判定する判定手段、
前記判定手段により前記座標において前記表示部品と前記１以上の他の表示部品が重畳していると判定された場合、前記表示部品と前記１以上の他の表示部品とのいずれかを選択させる画面を表示させる表示手段、
として機能させるための地図表示プログラム。
【発明の詳細な説明】
【技術分野】
【０００１】
本発明は、地図表示システム及び地図表示プログラムに関する。
【背景技術】
【０００２】
従来より、地図表示システムが知られている。このような地図表示システムにおいて、地図上に表示される山、河川、建物、施設等の名称を示す地図注記の重なりが生じる場合に、予め定めた優先順位に従って、優先順位が高い地図注記を表示させる一方で、優先順位が低い地図注記を削除する技術が知られている（例えば特許文献１参照）。
【先行技術文献】
【特許文献】
【０００３】
【特許文献１】特開平８−６３５７５号公報
【発明の概要】
【発明が解決しようとする課題】
【０００４】
しかしながら、上記の従来技術においては、山、河川、建物、施設等の名称を示す地図注記に限られる。したがって、例えば駅や駅の出入口、コンビニ、デパートなどの施設等を示すアイコンが数多く密集して表示されるような場合には、ユーザが目的とする施設等を選択しにくいという問題がある。
【０００５】
本発明の実施の形態は、上記の点に鑑みてなされたものであり、ＰＯＩ（Point of Interest）の密集エリアにおいて、ＰＯＩアイコンの選択を容易にすることを目的とする。
【課題を解決するための手段】
【０００６】
上記目的を達成するため、本発明の実施の形態は、地図を表示させる地図表示システムであって、前記地図に表示される表示部品を、該表示部品の表示領域上を選択することにより選択する選択手段と、前記選択手段により選択された前記表示領域上の座標において、前記表示部品が１以上の他の表示部品と重畳しているか否かを判定する判定手段と、前記判定手段により前記位置において前記表示部品と前記１以上の他の表示部品が重畳していると判定された場合、前記表示部品と前記１以上の他の表示部品とのいずれかを選択させる画面を表示させる表示手段と、を有することを特徴とする。
【発明の効果】
【０００７】
本発明の実施の形態によれば、ＰＯＩの密集エリアにおいて、ＰＯＩアイコンの選択を容易にすることができる。
【図面の簡単な説明】
【０００８】
【図１】本実施形態に係る地図表示システムの一例の構成図である。
【図２】本実施形態に係る地図表示システムの一例のハードウェア構成図である。
【図３】本実施形態に係る地図表示システムの一例のソフトウェア構成図である。
【図４】本実施形態に係る地図表示処理の一例のフローチャートである。
【図５】地図表示画面に表示される地図情報の一例を示す図である。
【図６】本実施形態に係る目的地選択から経路探索結果表示までの処理の一例のフローチャートである。
【図７】表示部品の重なり判定の一例を説明するための図である。
【図８】目的地選択画面の一例のイメージ図である。
【図９】経路設定画面の一例のイメージ図である。
【図１０】経路探索結果の一例のイメージ図である。
【発明を実施するための形態】
【０００９】
次に、本発明の実施の形態について、図面を参照しつつ詳細に説明する。
【００１０】
＜システム構成＞
まず、本実施形態に係る地図表示システムのシステム構成について説明する。図１は、本実施形態に係る地図表示システムの一例の構成図である。図１の地図表示システム１００は、地図表示サーバ１と、地図表示端末２とがネットワーク３を介して接続されている。
【００１１】
地図表示サーバ１は、地図表示端末２からの要求に応じて、地図表示端末２に対して地図情報を提供する情報処理装置である。なお、図１において地図表示サーバ１は、１台の情報処理装置で構成されているが、これに限られず、複数台の情報処理装置で構成されていてもよい。また、地図表示システム１００は、地図表示サーバ１のみを有する構成であってもよい。すなわち、本実施形態に係る地図表示システム１００の各種処理をすべて地図表示サーバ１のみで実現する構成であってもよい。
【００１２】
地図表示端末２は、ユーザが利用する地図表示端末である。地図表示端末２は、例えば、スマートフォンやタブレット端末、携帯電話、ナビゲーション端末、ノート型ＰＣ（Personal Computer）、デスクトップ型ＰＣ、ゲーム機器、ウェアラブル端末などの各種の情報処理装置である。ユーザは、地図表示端末２を操作して、地図表示サーバ１に対して地図の表示要求を行い、地図表示サーバ１から地図情報を受け取ることで地図を表示させることができる。なお、図１においては、一例として、地図表示システム１００が１台の地図表示端末２を有する構成が示されているが、これに限られず、地図表示システム１００は、複数台の地図表示端末２を有する構成であってもよい。
【００１３】
また、地図表示システム１００は、地図表示端末２のみを有する構成であってもよい。すなわち、本実施形態に係る地図表示システム１００の各種処理をすべて地図表示端末２のみで実現する構成であってもよい。
【００１４】
ネットワーク３は、有線、無線を含む通信ネットワークである。ネットワーク３は、例えば、電話回線網、ＷｉＦｉ、インターネットなどを含む。
【００１５】
＜ハードウェア構成＞
次に、本実施形態に係る地図表示システムのハードウェア構成について説明する。図２は、本実施形態に係る地図表示システムの一例のハードウェア構成図である。
【００１６】
地図表示サーバ１は、ハードウェア構成として、図２に示されるように、ＣＰＵ（Central Processing Unit）１１、ＲＯＭ（Read Only Memory）１２、ＲＡＭ（Random Access Memory）１３、ＨＤＤ（Hard Disk Drive）１４、入力装置１５、表示装置１６、通信装置１７を有する。
【００１７】
また、地図表示端末２は、ハードウェア構成として、図２に示されるように、ＣＰＵ１１、ＲＯＭ１２、ＲＡＭ１３、ＨＤＤ１４、入力装置１５、表示装置１６、通信装置１７、音声入出力装置１８、ＧＰＳ（Global Positioning System）受信装置１９を有する。
【００１８】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。入力装置１５は、例えばキーボードやマウスなどの各種入力装置である。表示装置１６は、ディスプレイなどであり、地図等が表示される。通信装置１７は、ネットワーク３を介し、地図表示サーバ１などの他装置との通信を行う。音声入出力装置１８は、例えばマイク装置やスピーカ装置などから構成される、音声の入出力を行う装置である。ＧＰＳ受信装置１９は、地図表示端末２の現在位置する位置情報をＧＰＳ衛星より受信する。
【００１９】
なお、地図表示サーバ１は、入力装置１５及び／又は表示装置１６を必ずしも有していなくてもよい。
【００２０】
また、本実施形態に係る地図表示端末２は、一例として、例えばスマートフォンやタブレット端末でもあるとする。したがって、入力装置１５は、キーボードやマウスに代え、画面上のタップ座標（タッチ座標）を検知可能なタッチパネルにより実現される。またこの場合、入力操作は、画面上のタッチパネルと、プログラムにより制御されるソフトウェアキー等とにより実現される。このようなタッチパネルは、入力装置１５及び表示装置１６を構成する。
【００２１】
本実施形態に係る地図表示サーバ１及び地図表示端末２は、例えば上記のハードウェア構成を有することにより、後述するような各種処理を実現できる。
【００２２】
＜ソフトウェア構成＞
次に、本実施形態に係る地図表示システム１００のソフトウェア構成について説明する。図３は、本実施形態に係る地図表示システムの一例のソフトウェア構成図である。地図表示システム１００は、主な機能部として、記憶部１０１と、入力部１０２と、地図情報取得部１０３と、重なり判定部１０４と、経路設定表示部１０５と、経路探索部１０６と、表示部１０７とを有する。
【００２３】
記憶部１０１は、地図情報やこの地図情報に表示される各種アイコン等の表示部品、各種施設に関する情報などの各種情報を記憶する。記憶部１０１は、例えばＨＤＤ１４、又は地図表示サーバ１とネットワークを介して接続される記憶装置等により実現される。
【００２４】
入力部１０２は、ユーザにより入力される各種情報を受け付ける。入力部１０２は、例えば入力装置１５や音声入出力装置１８等により実現される。ユーザにより入力される各種情報は、例えば、経路探索を行うための現在地、出発地、目的地、経由地などの各種条件の情報である。また、ユーザが、例えば、地図表示端末２の入力装置１５及び表示装置１６で構成されるタッチパネルをタップすると、タップした位置に対応するタップ座標が入力部１０２に入力される。なお、入力部１０２には、例えば不図示のＧＰＳ情報取得部から取得された地図表示端末２の位置情報を現在地として入力してもよい。
【００２５】
地図情報取得部１０３は、入力部１０２から入力された各種情報に基づいて、記憶部１０１から地図情報を取得する。地図情報取得部１０３は、例えばＣＰＵ１１等により実現される。地図情報取得部１０３は、例えば、入力部１０２から受け取った地図表示要求に対して、この地図表示要求に係る地図情報を記憶部１０１から取得する。
【００２６】
重なり判定部１０４は、入力部１０２から受け取ったタップ座標などの座標に基づき、この座標において複数のアイコン（表示部品）が重なって表示されているか否かを判定する。重なり判定部１０４は、例えばＣＰＵ１１等により実現される。
【００２７】
経路設定表示部１０５は、経路探索の目的を設定するための目的地選択画面や経路探索を行うための経路設定画面などを表示させる。経路設定表示部１０５は、例えば、ＣＰＵ１１や表示装置１６等により実現される。
【００２８】
経路探索部１０６は、経路設定表示部１０５により表示された経路設定画面において設定された出発地や目的地などの情報から最適な経路を探索する。経路探索部１０６は、例えば、ＣＰＵ１１等により実現される。
【００２９】
表示部１０７は、地図情報取得部１０３により取得された地図情報を表示装置１６に表示させる。また、表示部１０７は、経路探索部１０６から受け取った経路探索の結果（出発地から目的までのルート）を設定した地図情報を表示装置１６に表示させる。表示部１０７は、例えば、表示装置１６等により実現される。
【００３０】
＜処理の詳細＞
次に、本実施形態に係る地図表示システムの処理の詳細について説明する。まず、本実施形態に係る表示システム１００が地図情報を表示する処理について説明する。本実施形態においては、ユーザが地図表示端末２を操作して、この地図表示端末２の表示画面に地図情報が表示されるものとする。
【００３１】
《地図表示処理》
図４は、本実施形態に係る地図表示処理の一例のフローチャートである。
【００３２】
ステップＳ１１において、ユーザは、例えば地図表示端末２に搭載されているＷｅｂブラウザ（不図示）や地図表示アプリケーション（不図示）を介して、地図表示操作を行う。ユーザが行った地図表示操作は、地図表示端末２の入力部１０２で受け付けられ、ネットワーク３を介して、地図表示要求が地図表示サーバ１の地図情報取得部１０３に送信される。なお、地図表示要求には、例えば、地図表示端末２の現在地の情報や、目的地の情報などが含まれる。なお、地図表示端末２の入力部１０２は、例えば不図示のＧＰＳ情報取得部を介して地図表示端末２の位置情報を取得し、この取得した位置情報を現在地として入力してもよい。以降では、ユーザは、現在地と、目的地を示す駅の駅名を入力して、地図の表示操作を行ったものとして説明をする。したがって、地図表示サーバ１に送信される地図表示要求には、少なくとも現在地の情報と目的地の情報とが含まれる。
【００３３】
なお、上記では、ユーザが地図表示端末２を操作して各種情報を入力したが、ユーザは地図表示サーバ１を操作してもよい。この場合、地図表示サーバ１の入力部１０２で受け付けられた現在地や目的地などの各種情報等は、後述のステップＳ１２において、ネットワーク３を介さずに地図情報取得部１０３に渡され、ステップＳ１３において、地図表示サーバ１の表示装置１６に地図情報が表示される。
【００３４】
ステップＳ１２において、地図表示サーバ１の地図情報取得部１０３は、ネットワーク３を介して、地図表示要求を受け付けると、記憶部１０１から地図情報を取得する。例えば、地図情報取得部１０３は、受け付けた地図表示要求に含まれる現在地の情報や目的地の情報などに応じた地図情報を取得する。すなわち、地図情報取得部１０３は、例えば目的地を中心に、現在地を含む周辺の地図情報を取得する。また、地図情報取得部１０３は、現在地や目的地などを示すアイコン、目的地（例えば駅）の出入口や周辺施設を示すアイコン等の各種表示部品も取得し、これらのアイコンを地図情報にマッピングする。地図情報取得部１０３は、取得した地図情報等を地図表示端末２に送信する。
【００３５】
ステップＳ１３において、地図表示端末２の表示部１０７は、地図表示サーバ１から受け取った地図情報を表示装置１６に表示させる。ここで、表示部１０７により表示装置１６に表示される地図情報の一例を図５で示す。図５は、地図表示画面に表示される地図情報の一例を示す図である。
【００３６】
図５（ａ）に示される地図情報１０００は、ユーザ（地図表示端末２）の現在地１１００と、目的である駅を示す目的地１２００と、目的地である駅の出入口１２０１〜１２０３とが表示されている。このように、地図表示端末２の表示装置１６には、目的地１２００を中心に、現在地１１００を含む周辺の地図情報が表示される。さらに、目的地１２００に関連する施設（すなわち、目的地１２００である駅の出入口１２０１〜１２０３）が表示される。
【００３７】
ここで、ユーザは、地図表示端末２に搭載されているＷｅｂブラウザ（不図示）や地図表示アプリケーション（不図示）を操作することにより、表示装置１６に表示された地図情報１０００の縮尺を変更することができる。これにより、ユーザは、表示装置１６に表示されている地図に対して、これを拡大した地図あるいは縮小した地図を表示させることができる。図５（ｂ）は、図５（ａ）に示される地図情報１０００の縮尺を所定の割合だけ小さくしたものである。このように、地図情報１０００の縮尺を小さくすることで、目的地の周辺の地図をより広い範囲で確認することができるようになる。他方、縮尺を大きくすれば、目的地の周辺の地図をより狭い範囲で詳細に確認することができるようになる。なお、縮尺の変更は、目的地の周辺のみならず、ユーザが指定した任意の地点を中心として行うことができる。
【００３８】
地図情報１０００より縮尺が小さい、図５（ｂ）に示される地図情報２０００において、現在地２１００、目的地２２００、出入口２２０１〜２２０３は、それぞれ地図情報１０００の現在地１１００、目的地１２００、出入口１２０１〜１２０３と同じ地点を指している。ただし、縮尺を小さくしたために、地図情報２０００の出入口２２０１〜２２０３は、各々の一部が重なり合って表示されている。
【００３９】
以上のように、本実施形態に係る地図表示システム１００では、ユーザは、地図表示端末２の表示装置１６に所望の地図情報を表示させることができる。
【００４０】
《目的地選択から経路探索結果表示までの処理》
次に、上記の図５に示された地図情報１０００又は地図情報２０００において、現在地から目的地までの経路を探索し、この経路が表示された地図情報を表示装置１６に表示させる処理について説明する。すなわち、ユーザが現在地から例えば出入口Ｃを示す出入口１２０３（出入口２２０３）までの経路（ルート）を表示させたい場合の処理である。図６は、本実施形態に係る目的地選択から経路探索結果表示までの処理の一例のフローチャートである。
【００４１】
ステップＳ２１において、ユーザは、経路探索の目的地を、表示されている地図情報からアイコン（表示部品）を選択することで選択する。例えば、ユーザは、経路探索の目的地として、地図情報１０００において目的地１２００の出入口１２０１〜出入口１２０３のいずれか又は地図情報２０００において目的地２２００の出入口２２０１〜出入口２２０３のいずれかを選択する。以降では、ユーザは、地図表示端末２の表示装置１６に表示されている地図情報２０００から、経路探索の目的地として出入り口Ｃを示す出入口２２０３を選択するものとして説明する。
【００４２】
ユーザが地図表示端末２の例えばタッチパネルを介して出入口２２０３を選択すると、ユーザが表示画面をタップした位置を示すタップ座標が入力部１０２に送信される。そして、地図表示端末２の入力部１０２は、タップ座標を受け取ると、重なり判定部１０４にタップ座標を送信する。
【００４３】
なお、上記においては、ユーザは地図表示端末２のタッチパネルを介して出入口２２０３を選択したが、これに代えて例えばタッチパッド、マウスなどのポインティングデバイスを用いて選択してもよい。この場合においても、各ポインティングデバイスを用いてユーザが選択した位置の座標が入力部１０２に送信される。以降、ユーザがポインティングデバイスを用いて選択した位置の座標やタッチパネルでタップした位置を示すタップ座標などを単に「座標」と表す。
【００４４】
ステップＳ２２において、地図表示端末２の重なり判定部１０４は、入力部１０２から受け取った座標に基づいて、この座標において複数のアイコン（表示部品）が重なり合っているか否かを判定する。そして、重なり判定部１０４は、判定結果を経路設定表示部１０５に送信する。重なり判定部１０４による判定結果が、複数のアイコンが重なり合っていることを示すものである場合、ステップＳ２３に進む。他方、重なり判定部１０４による判定結果が、アイコンが重なり合っていないことを示すものである場合、ステップＳ２４に進む。
【００４５】
ここで、重なり判定部１０４の判定方法について、図７を用いて説明する。図７は、表示部品の重なり判定の一例を説明するための図である。
【００４６】
図７では、出入口Ａ、出入口Ｂ、及び出入口Ｃのそれぞれを示すアイコン（表示部品）が、各々一部重なりあって表示されている。このとき、ユーザが、地図表示端末２のタッチパネルを用いて、出入口Ｃを選択する場合についての重なり判定部１０４の判定方法について説明する。なお、図７において領域３００１〜領域３００３は、各表示部品が表示される表示領域の一部である。また、以降の説明は、ユーザが例えばポインティングデバイスなどを用いた場合にも同様である。
【００４７】
例えばユーザが、出入口Ｃを示すアイコンの領域３００１をタップした場合、重なり判定部１０４は、出入口Ｃを示すアイコンは他のアイコンとは重なり合っていないと判定する。つまり、重なり判定部１０４は、領域３００１における任意の座標では、複数のアイコンが重なり合っていないと判定する。
【００４８】
例えばユーザが、出入口Ｃを示すアイコンの領域３００２をタップした場合、重なり判定部１０４は、出入口Ｃを示すアイコンは出入口Ａを示すアイコンと重なり合っていると判定する。つまり、重なり判定部１０４は、領域３００２における任意の座標では、２つのアイコン（出入口Ａを示すアイコンと出入口Ｃを示すアイコン）が重なり合っていると判定する。
【００４９】
例えばユーザが、出入口Ｃを示すアイコンの領域３００３をタップした場合、重なり判定部１０４は、出入口Ｃを示すアイコンは出入口Ａを示すアイコン及び出入口Ｂを示すアイコンと重なり合っていると判定する。つまり、重なり判定部１０４は、領域３００３における任意の座標では、３つのアイコン（出入口Ａ、出入口Ｂ、出入口Ｃそれぞれを示すアイコン）が重なり合っていると判定する。
【００５０】
以上のように、重なり判定部１０４は、ユーザが地図表示端末２の表示画面をタップした位置の座標に基づいて、この座標においてアイコン（表示部品）が重なり合っているか否かを判定する。
【００５１】
図６の説明に戻る。ステップＳ２３において、経路設定表示部１０５は、重なり合っているアイコン（表示部品）について、いずれのアイコンを選択するかをユーザに選択させるための一覧（リスト）を表示させる。ここでは、上記のステップＳ２１において、出入口Ａ、出入口Ｂ、及び出入口Ｃの３つのアイコンが重なり合っている領域をタップしたものとして説明する。すなわち、ユーザが、例えば図７に示されている領域３００３の任意の位置（座標）をタップしたものとする。このとき、経路設定表示部１０５は、例えば図８に示されるような目的地選択画面４０００を表示装置１６上に表示させる。図８は、目的地選択画面の一例のイメージ図である。
【００５２】
図８に示されている目的地選択画面４０００では、ユーザがタップした位置（座標）において重なり合っているアイコンが示す情報が一覧表示４１００に表示される。したがって、ユーザは、この一覧表示４１００から所望のアイコンが示す情報（例えば「出入口Ｃ」）を選択することができる。したがって、例えば、表示された地図情報の縮尺が小さい等により、複数のアイコン（表示部品）が重なり合って表示されているような場合（すなわち、所望のアイコンのみ選択することが難しいような場合）においても、ユーザは一覧表示４１００から所望のアイコンが示す情報を容易に選択することができる。
【００５３】
なお、上記において、例えばユーザが図７において領域３００１の任意の位置（座標）をタップした場合、図８の一覧表示４１００には「出入口Ｃ」のみが表示される。また、例えばユーザが図７において領域３００２の任意の位置（座標）をタップした場合、図８の一覧表示４１００には「出入口Ａ」及び「出入口Ｃ」が表示される。このように、図８の一覧表示４１００には、ユーザがタップした座標において重なり合っているすべてのアイコンを示す情報が表示される。以降では、ユーザが、図８の一覧表示４１００から「出入口Ｃ」を選択した場合について説明する。
【００５４】
図６の説明に戻る。ステップＳ２４において、経路設定表示部１０５は、出発地と目的地とを設定した経路設定画面を表示させる。このとき経路設定画面に設定される出発地は、例えば現在地である。また、設定される目的地は、ステップＳ２２における重なり判定部１０４の判定結果がアイコンが重なり合っていることを示すものである場合、例えば図８の一覧表示４１００からユーザが選択したアイコンが示す情報である。他方、ステップ２２における重なり判定部１０４の判定結果がアイコンが重なり合っていないことを示すものである場合、ステップＳ２１においてユーザがタップした位置（座標）を含むアイコン（このようなアイコンは一意に定まる）を示す情報である。
【００５５】
ここで、地図表示端末２の表示装置１６に表示される経路設定画面について説明する。図９は、経路設定画面の一例のイメージ図である。図９に示される経路設定画面５０００では、出発地５００１と、目的地５００２と、経路探索ボタン５００３とが表示されており、出発地５００１には「現在地」が、目的地には「出入口Ｃ」が設定されている。このように、出発地５００１と目的地５００２とが設定された状態で、ユーザが経路探索ボタン５００３を押下すると、経路探索が行われる。そして、出発地から目的地までの最適な経路が表示装置１６に表示されている地図上に表示される。すなわち、ユーザが経路探索ボタン５００３を押下すると、地図表示端末２は、出発地と目的地とを示す情報を地図表示サーバ１の経路探索部１０６に送信する。
【００５６】
なお、上記の経路設定画面５０００において、例えば、出発地から目的地に向かうまでの間にユーザが立ち寄りたい場所として経由地を設定できるようにしてもよい。経由地が設定された場合、ユーザが経路探索ボタン５００３を押下すると、経路設定表示部１０５は、地図表示サーバ１の経路探索部１０６に対して、出発地と目的地とを示す情報に加えて経由地を示す情報を送信する。したがって、この場合、後述するステップＳ２５において経路探索部１０６は、出発地から経由地を経由して目的地に向かう最適な経路を探索する。
【００５７】
図６の説明に戻る。ステップＳ２５において、経路探索部１０６は、経路設定表示部１０５から受け取った出発地と目的地とを示す情報に基づいて、最適な経路を探索する。そして、表示部１０７は、経路探索部１０６が探索した経路を地図情報に表示させる。表示部１０７は、例えば図１０に示されるような経路情報が表示された地図情報を地図表示端末２の表示装置１６に表示させる。図１０は、経路探索結果の一例のイメージ図である。
【００５８】
図１０に示される経路探索結果６０００では、ユーザの現在地６１００から出入口Ｃを示す出入口６２０３までの経路６３００が表示されている。このように、経路探索部１０６は、経路設定表示部１０５から受け取った出発地と目的地とを示す情報に基づいて、最適な経路を探索し、表示部１０７は、この経路を地図情報に表示させる。これにより、ユーザは、現在地から目的地までの最適な経路（例えば、最短距離や最小時間経路）を取得することができる。
【００５９】
なお、上記では、目的地（駅）の出入口を示すアイコンについて、各々一部が重なっているか否かを判定する場合について説明したが、アイコンは出入口を示すものに限られない。すなわち、例えばコンビニやデパート、ガソリンスタンド、観光名所などを示すアイコン（表示部品）であってもよい。なお、表示部品はいわゆるＰＯＩであってもよい。したがって、本発明は、地図情報に表示される種々の表示部品の全部又は一部が重なり合っている場合において、この重なり合っている部分をユーザが選択したときに、重なり合っている表示部品が示す情報を一覧表示することで、ユーザの選択を容易にするものである。
【００６０】
＜まとめ＞
以上のように、本実施形態に係る地図表示システムは、ユーザからの地図表示要求に応じて表示装置１６に地図情報を表示させることができる。そして、この地図情報において表示される各種表示部品の全部又は一部が重なり合うような場合に、この重なり合っている部分をユーザが選択したとき、重なり合っている表示部品が示す情報を一覧表示させる。したがって、ユーザは、複数の表示部品が重なり合っているために所望の表示部品を選択することが困難な場合においても、一覧表示された情報から所望の表示部品が示す情報を容易に選択することができる。
【００６１】
なお、入力部１０２は、選択手段の一例である。重なり判定部１０４は、判定手段の一例である。表示部１０７は、表示手段の一例である。
【００６２】
本発明は、具体的に開示された上記の実施形態に限定されるものではなく、特許請求の範囲から逸脱することなく、種々の変形や変更が可能である。
【符号の説明】
【００６３】
１        地図表示サーバ
２        地図表示端末
１１      ＣＰＵ
１２      ＲＯＭ
１３      ＲＡＭ
１４      ＨＤＤ
１５      入力装置
１６      表示装置
１７      通信装置
１８      音声入出力装置
１９      ＧＰＳ受信装置
１００    地図表示システム
１０１    記憶部
１０２    入力部
１０３    地図情報取得部
１０４    重なり判定部
１０５    経路設定表示部
１０６    経路探索部
１０７    表示部
【図１】
2015187642.tif 000003
【図２】
2015187642.tif 000004
【図３】
2015187642.tif 000005
【図４】
2015187642.tif 000006
【図５】
2015187642.tif 000007
【図６】
2015187642.tif 000008
【図７】
2015187642.tif 000009
【図８】
2015187642.tif 000010
【図９】
2015187642.tif 000011
【図１０】
2015187642.tif 000012